(57)【要約】【課題】ドア体２の下端部に形成した外気を流入する下側開口２ａと、ドア体内側面に形成の内面板開口５ｂとのあいだに連通状に形成される空気流路に、ドア体を開放する把手操作の前の施錠装置１１の解錠操作で開閉する仕切り体１７を設けたものにおいて、負圧の室内を正圧にするため流入する空気と共に室内に塵埃や虫が侵入するのを防止する。【解決手段】仕切り体１７よりも室外側である下側開口２ａ側にフィルタ２２を設けるようにして、仕切り体１７よりも室外側で空気浄化をし、塵埃が仕切り体１７等の可動物にかからないようにして可動体に塵埃等が付着して円滑な動きを妨げないようにする。【選択図】図８
2014062375.tif 000002
【特許請求の範囲】
【請求項１】
内外面板を備え、所定のドア厚を有したドア体に、空気の室外側流入口と室内側流出口とをドア厚方向に対向しないよう互いに偏倚した位置に設け、これら流入口と流出口とを、内外面板で挟まれるようにして形成した通気路で連通連結して室外側から室内側に向けて空気が流入できるように構成すると共に、該通気路に、通気路を開閉自在に仕切るための仕切り体を備えたドア装置において、前記通気路の仕切り体よりも室外側部位に形成のフィルタ配設スペースにフィルタを配したことを特徴とする通気機構付きのドア装置。
【請求項２】
フィルタは、内面板側に形成した開閉自在な開口からフィルタ配設スペースに抜き差し自在に組み込まれるように構成したことを特徴とする請求項１記載の通気機構付きのドア装置。
【請求項３】
空気流入口は、ドア体の底面に設けられ室外に連通する室外側開口であり、空気流出口は、ドア体内面板側に設けられ室内に連通する室内側開口であり、通気路は、これら両開口に連通するようドア体内に縦方向に向けて形成され、途中に仕切り体が設けられるものとし、フィルタ配設スペースは、仕切り体に対し下側の室外側開口寄りに設けられていることを特徴とする請求項１または２記載の通気機構付きのドア装置。
【請求項４】
フィルタは、左右に長尺板状のものが水平状に配されることを特徴とする請求項１乃至３の何れか１記載の通気機構付きのドア装置。
【請求項５】
フィルタ配設スペースは、仕切り体が収容され、通気路が形成されるベースフレームの下側であって、ドア体下枠材上端部に形成されることを特徴とする請求項１乃至４の何れか１記載の通気機構付きのドア装置。
【請求項６】
開口は、フィルタがフィルタ配設スペースに組込まれた状態で着脱自在な塞ぎ板を介して塞がれていることを特徴とする請求項２乃至５の何れか１記載の通気機構付きのドア装置。
【発明の詳細な説明】
【技術分野】
【０００１】
本発明は、高層建築物、特に、集合住宅等の外部への出入り口部に設けられる通気機構付きのドア装置の技術分野に関するものである。
【背景技術】
【０００２】
近年、建築物は高気密、高断熱を基本とする建築様式が汎用されており、特に集合住宅のような建築物では、高気密、高断熱が一般化される状態となっている。このように建築物を高気密、高断熱仕様とした場合、建物内（各住居内）において換気扇を使用した場合では建物内が負圧となり、屋外に面して外開き状に設けられる玄関ドアのようなドア装置では、開放操作が重くなるという現象が発生する。特に、二十四時間稼働する換気装置が設置された住宅において、調理等により別途換気装置がさらに稼働しているような場合では、住居内の気圧が一層低下してドア体内外の差圧が大きくなり開放操作がさらに重くなって操作し難くなるが、これに加えてドア体に風圧が作用するような環境下では、老人や子供のように非力な操作者にとってはドア体を開放できないようなことも想定される。
そこで、ドア体に、ドア体の内外を通気する通気路（通気孔）と、該通気路を開閉何れかの状態に切換えて保持する切換え手段とが設けられた通気機構付きのドア装置として、ドア体を開放する際に通気路を開放状態として住居内外の差圧を解消できるようにしたものが提唱されている（特許文献１参照)。
ところで前記特許文献１のものは、通気路をドア体の内外面板に開設された開口により構成する一方、前記開口の間に位置してドア厚内に設けられ、回転変位することで開口同士を連通状態とする通気姿勢と、連通状態を遮断する遮断姿勢とに変姿する開閉板を切換え手段として構成している。そして、開閉板をドア体の施錠装置に兼用されるグレモン錠の操作ハンドルに連繋し、操作ハンドルの回転操作に伴いドア体の解錠と同時に開閉板が回転して通気姿勢となることで通気路を開放し、ドア体の内外を通気するようにしている。しかるに、このものでは、ドア体を開放操作するべく操作ハンドルを解錠操作（回転操作）するのと同時に通気路による通気がなされる構成となっている。このため、操作ハンドルを回転操作しつつドア体を押し、あるいは、引き操作する一連の操作でドア体を開放しようとした場合に、通気路が通気状態になるのと同時に押し、あるいは、引き操作がなされることになるので、解錠操作から押し、あるいは、引き操作までの時間差が殆どなく、通気路による通気（差圧解消）が充分でないことがあり、このような状態ではドア体の開放操作が依然として重く、円滑な開放操作ができないため、解錠操作から適宜時間差を持って開放しなければならないという問題があり、操作性に劣る。さらにこのものでは、外部に露出するドア体の外側面部に開口が開設されているばかりでなく、開閉板の通気姿勢では前記開口を介して開閉板が視認されることになって意匠性に劣るという問題もある。
そこでドア装置を、内外一対の面板を備え、所定のドア厚を有したドア体に、ドア体の内外面に対向する空間同士を通気する通気路と、該通気路を開放または閉鎖の何れかの状態に切換え保持する切換え手段とにより構成される通気機構を設けた構成とし、そして前記通気機構の切換え手段を、ドア体の開閉操作用の操作具とは別に設けられ、ドア体外側からはキーにより施錠−解錠操作される施錠装置に連繋し、前記施錠装置の施錠操作に伴い通気路を閉鎖状態とし、施錠装置の解錠操作に伴い通気路を開放状態に切換え保持するように構成し、これによって特許文献１が有する問題点を解消したものが提唱されている（特許文献２参照)。
ところで前記特許文献２のものは、ドア体の下端縁部と室内側面にそれぞれ開口を設け、これら開口同士をドア体の屋内側面板で通気させ、該通気路を屋外側からはキーロックされる施錠装置の解錠操作に連動して開閉する仕切り体を設けて構成するようにし、これによって屋外側からドア体を見た場合に、通気開口が直接見えないようにして通気開口ができながら防犯性を損なわないように配慮しているが、このものにはフィルタが設けられていないため、屋外から虫や塵埃が侵入してしまう、という問題がある。
そこで通気機構を備えたドア装置にフィルタを設けて虫や塵埃の侵入を防ぐようにしたものが知られている（特許文献３参照)。
【先行技術文献】
【特許文献】
【０００３】
【特許文献１】特開２０００−１３６６７９号公報
【特許文献２】特開２０１２−１２７１２８号公報
【特許文献３】特表２００９−５２３２０２号公報
【発明の概要】
【発明が解決しようとする課題】
【０００４】
ところが前記特許文献３のようにフィルタを設けた場合、該フィルタはドア装置の屋内側面に設けられているため、特許文献３のように仕切り体を通気路の途中でフィルタよりも室外側に配したものでは、負圧を解消すべく室内に入る外気は、フィルタで浄化される以前の段階で仕切り体のような可動部に接触することになって可動部に次第に塵埃が溜まったりして可動部の円滑な作動が阻害されてくるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、内外面板を備え、所定のドア厚を有したドア体に、空気の室外側流入口と室内側流出口とをドア厚方向に対向しないよう互いに偏倚した位置に設け、これら流入口と流出口とを、内外面板で挟まれるようにして形成した通気路で連通連結して室外側から室内側に向けて空気が流入できるように構成すると共に、該通気路に、通気路を開閉自在に仕切るための仕切り体を備えたドア装置において、前記通気路の仕切り体よりも室外側部位に形成のフィルタ配設スペースにフィルタを配したことを特徴とする通気機構付きのドア装置である。
請求項２の発明は、フィルタは、内面板側に形成した開閉自在な開口からフィルタ配設スペースに抜き差し自在に組み込まれるように構成したことを特徴とする請求項１記載の通気機構付きのドア装置である。
請求項３の発明は、空気流入口は、ドア体の底面に設けられ室外に連通する室外側開口であり、空気流出口は、ドア体内面板側に設けられ室内に連通する室内側開口であり、通気路は、これら両開口に連通するようドア体内に縦方向に向けて形成され、途中に仕切り体が設けられるものとし、フィルタ配設スペースは、仕切り体に対し下側の室外側開口寄りに設けられていることを特徴とする請求項１または２記載の通気機構付きのドア装置である。
請求項４の発明は、フィルタは、左右に長尺板状のものが水平状に配されることを特徴とする請求項１乃至３の何れか１記載の通気機構付きのドア装置である。
請求項５の発明は、フィルタ配設スペースは、仕切り体が収容され、通気路が形成されるベースフレームの下側であって、ドア体下枠材上端部に形成されることを特徴とする請求項１乃至４の何れか１記載の通気機構付きのドア装置である。
請求項６の発明は、開口は、フィルタがフィルタ配設スペースに組込まれた状態で着脱自在な塞ぎ板を介して塞がれていることを特徴とする請求項２乃至５の何れか１記載の通気機構付きのドア装置である。
【発明の効果】
【０００６】
請求項１の発明とすることにより、仕切り体を開放姿勢にすることで、負圧状態の室内に室外からの空気を取り入れて正圧にできるものでありながら、該室外から流入する空気は、仕切り体よりも室外側に配したフィルタによって浄化されるため、フィルタを室内側に設けたもののようにフィルタに積もった塵芥等が可動物である仕切り体に付着して仕切り体の円滑な動きを阻害することがないうえ、フィルタ自体が内外面板に挟まれていて直接目視できないよう配されているため汚れたフィルタが露出してしまうことがなく、外観性を損なうことがない。
請求項２の発明とすることにより、フィルタは、防犯性を損なうことがない室内側からのメンテナンス作業ができることになる。
請求項３の発明とすることにより、フィルタは、ドア体底面の室外側開口に対向する状態で組み込まれるから、フィルタに付着した塵芥等は、下の室外側開口に向けて落下することになり、室内側に入り込んで汚れてしまうことを回避できる。
請求項４の発明とすることにより、フィルタは、ドア体の厚みを利用するかたちで広面積のフィルタ面を確保することができることになって、速やかな空気流入ができることになる。
請求項５の発明とすることにより、フィルタ配設スペースの確保が容易になる。
請求項６の発明とすることにより、フィルタを抜き差しするための開口が塞がれることになって外観を損なうことがないうえ、フィルタをフィルタ配設スペースに残したままの状態で塞ぎ板を外してフィルタの点検ができるため、該点検のときフィルタを引き出すことで該フィルタに付着した塵埃等が落下して室内側を汚してしまうようなことがない。
【図面の簡単な説明】
【０００７】
【図１】（Ａ）はドア体の正面図、（Ｂ）はドア体の背面図である。
【図２】（Ａ）は図１（Ａ）のＸ−Ｘ断面をした一部省略断面図、（Ｂ）は図１（Ａ）のＹ−Ｙ断面をした一部省略断面図である。
【図３】（Ａ）はドア体下部の左側面図、（Ｂ）はドア体下部の一部省略正面図、（Ｃ）はドア体下部の右側面図、（Ｄ）はドア体の底面図である。
【図４】（Ａ）は下枠材の正面図、（Ｂ）は下枠材の一部省略拡大正面図、（Ｃ）は下枠材の一部省略拡大平面図、（Ｄ）は下枠材の一部省略拡大底面図である。
【図５】（Ａ）はフィルタの斜視図、（Ｂ）はフィルタの拡大側面図である。
【図６】（Ａ）はベースフレームの一部省略正面図、（Ｂ）はベースフレームの左側面図、（Ｃ）はベースフレームの一部省略平面図、（Ｄ）はベースフレームの一部省略底面図、（Ｅ)は図６（Ａ）のＸ−Ｘ断面図である。
【図７】（Ａ）はベースフレームの斜視図、（Ｂ）はベースフレームの弾機部位の拡大断面図、（Ｃ）はベースフレームの縦断面図である。
【図８】ベースフレームの拡大縦断面図である。
【図９】（Ａ）は施錠状態を示す要部拡大説明図、（Ｂ）は解錠状態を示す要部拡大説明図である。
【発明を実施するための形態】
【０００８】
以下、本発明の実施の形態について、図面に基づいて説明する。
図面において、１は集合住宅の玄関口に設けられるドア装置であって、該ドア装置１を構成するドア体２は、躯体の開口部に固定される四周枠３の一側部である戸尻側枠体３ａとのあいだに設けられる上下方向三箇所の丁番４を介して揺動自在に設けられており、開口部を外開き式に開放する全開姿勢と開口部を閉鎖する全閉姿勢とのあいだを開閉揺動するように構成されている。前記ドア体２は、室内外一対（表裏一対）の内、外面板５、６の上下、左右の四周端縁部を適宜折曲することにより、ドア厚方向の端面（上下左右端面）とが形成されて、内、外面板５、６の対向間にコア材７を介装することにより所定のドア厚を有したものに構成されている。尚、８はドア体２の左右端部および上端部に内装される骨材（枠材）である。
【０００９】
また、ドア体２には、開閉操作用の操作具に相当する把手９が内外にそれぞれ設けられ、さらに、これら内外一対の把手９の上下端部には、それぞれ上下一対の第一、第二施錠装置１０、１１が設けられている。前記第一、第二施錠装置１０、１１はそれぞれシリンダー錠で構成されており、それぞれ屋内側に設けられるサムターン１０ａ、１１ａの回動操作、あるいは屋外側に設けられる鍵孔１０ｂ、１１ｂへキー（図示せず）を差し込んでの回動操作によりデッドボルト１０ｃ、１１ｃが出没して、戸先側枠体３ｂに設けたデッドボルト受け（図示せず）に係脱することにより、ドア体２が施錠される施錠姿勢とドア体２の開放が許容される解錠姿勢とに変姿するように構成されている。また、前記内外一対の把手９に連繋して設けられるラッチボルト９ａは、ドア体２に対して出没自在に連繋されており、ドア体２が全閉姿勢になることに伴い戸先側枠体３ｂに設けたラッチボルト受け（図示せず）に自動的に没入して係止（施錠）されるように構成されている。そして、ドア体２を開放操作する場合では、第一、第二施錠装置１０、１１の両者をそれぞれ前記解錠状態とし、把手９を操作（押し、引き操作）することにより、ラッチボルト９ａがドア体２側に没入して係止解除（解錠）がなされ、そのまま把手９を介してドア体２を屋外側へ押しやることで開放操作できるように構成されている。
【００１０】
一方、前記ドア体２の下端部はコア材７が介装されることはなく空洞となるように形成されている。また、ドア体２の下端面は、図８に示すように、内、外面板５、６の下端縁からそれぞれ互いに対向する方向に折曲した内側折曲片５ａと外側折曲片６ａとが形成されているが、これら内、外側折曲片５ａ、６ａは一部が切欠かれることで、左右方向に間隔を存して複数個（本実施の形態では４個）の下側開口２ａが形成されている。さらにこのものでは、外側折曲片６ａの方が内側折曲片５ａよりも高い上下段差状におり、これによって、図２（Ａ）に示すように外側折曲片６ａと四周枠３を構成する下枠体（沓摺り）３ｃとの対向間隔（隙間）は、内側折曲片５ａと下枠体３ｃとの対向間隔よりも広くなるように構成されている。
【００１１】
一方、ドア体２の下端部には、内、外面板５、６の内面および内、外側折曲片５ａ、６ａの上面に当接する状態で略凵字形をした下枠材１２が設けられているが、該下枠材１２の底面板１２ａには、前記下側開口２ａに対応する状態で下枠材開口１２ｂが形成され、本実施の形態では、これら下側開口２ａ、下枠材開口１２ｂにより室外側開口を形成している。さらに下枠材１２は、下枠材開口１２ｂが形成されるとは異なる位置（実質的に底面板１２ａの板材が架橋状に存在している位置）の内、外面板１２ｃ、１２ｄには略冂字形の補強材１３によって架橋状に補強されており、この上面が後述するフィルタ２２の載置面となるように設定されている。また下枠材１２の内面板１２ｃの上端部は、左右両端部１２ｅを残して切欠かれていて外面板１２ｄよりも低く、補強材１３の上面と略面一になった上端縁１２ｆとなっているが、該上端縁１２ｆの左右方向中間部には左右両端部１２ｅよりは低いが上端縁１２ｆよりは背高になった係止片１２ｇが形成されている（図４参照）。
【００１２】
１４は（図８参照）下側の下枠材１２と上側のコア材７との間に介装されるベースフレームであって、該ベースフレーム１４は、ドア体２のドア幅方向と略同様の横幅を有し、内、外面板５、６の内側に当接状に設けられる内、外片部１４ａ、１４ｂを備え、左右方向に貫通する筒孔を有した角筒形状に形成されているが、内片部１４ａは、外片部１４ｂ側に向けて段差状に凹んだ凹面部１４ｃが形成され、該凹面部１４ｃに、内面板開口５ｂに連通する内側通気用開口１４ｄが開設され、さらに凹面部１４ｃの室内側面には前記内側通気用開口１４ｄに連通する開口１４ｅが形成された覆板１４ｆが設けられ、該覆板１４ｆとは室内側に間隙を存し内面板５とは面一状となる状態で内面板開口５ｂよりも小さく覆板開口１４ｅよりは大きく設定されたフード板１４ｇが設けられている。
またベースフレーム１４の下片部１４ｈは、下枠材内、外面板１２ｃ、１２ｄの上端縁に載置状に当接しているが、該下片部１４ｈには、下側開口２ａおよび、下枠材開口１２ｂと略同位置になるようベースフレーム開口１４ｉが切欠き形成されていて前記各開口２ａ、１２ｂに連通するように構成されている。
【００１３】
さらに前記ベースフレーム１４により囲繞されるドア厚内の空間に、通気機構を構成する切換え手段１５が収容されるが、該切換え手段１５は、図６、８に示すように、ベースフレーム１４に内装するように設けられる本体ケース１６を備えているが、該本体ケース１６は、内、外側片１６ａ、１６ｂ、上側片１６ｃ、左、右側片１６ｄ、１６ｅを備え、底面が開口１６ｆとなっている。
【００１４】
本体ケース内側片１６ａには、内面板開口５ｂに対向するようにして内面開口１６ｇが形成されるが、本実施の形態では、左右方向に三つのものが上下方向に二列で、都合六つの内面開口１６ｇとなっており、本実施の形態では、これら内面開口１６ｇ、内側通気用開口１４ｄ、覆板開口１４ｅ、内面板開口５ｂにより本発明の室内側開口を構成しており、本実施の形態では、このようにすることで該室内側開口と前記室外側開口とが、ドア厚方向には互いに対向しない偏倚した位置に位置するよう形成されている。勿論、本発明は該実施の形態に限定されないものであって、室内側開口と室外側開口のドア厚方向には互いに対向しない偏倚としては、ドア体の上下方向、左右方向、傾斜方向等、適宜の配設とすることができ、これら開口同士を連通するべく内外面板５、６間には、これら内外面板で挟まれるようにして通気路が形成されている。
つまり本実施の形態では、ドア体２の内外の空気は、例えば室内側の気圧が低下して外部の空気が室内に流入される場合では、ドア体下側開口２ａ、下枠材開口１２ｂ、ベースフレーム開口１４ｉ、本体ケース底面開口１６ｆを通過して本体ケース１６内に流入したものが、本体ケース内面開口１６ｇ、内側通気用開口１４ｄ、覆板開口１４ｅを経由してフード板１４ｇと内面板開口５ｂの隙間からドア体２の内部に流入するように構成されており、このようにしてドア体２の内外を連通する空気流路が形成されることになって通気ができるように構成されている。
【００１５】
さらに本体ケース１６の内側片１６ａは、ベースフレーム凹面部１４ｃの下側位置において室内側に向けて段差状に幅広になっており、該幅広部１６ｈに通気路の通気を開閉するための通気路開閉部材に相当する仕切り体１７が内装されている。前記仕切り体１７は、本体ケース１６の左右方向長さと略同長さの長尺板材で形成されており、短尺方向の板幅は、内、外側片１６ａ、１６ｂ下端部の対向間よりも少し小さい長さに設定されている。前記仕切り体１７の左右両端部には、図６、９に示すように、板幅、板厚中心と同芯状の支軸１７ａが左右方向外方に向けて突出しており、該支軸１７ａが、本体ケース１６の左、右側片１６ｄ、１６ｅに回転自在に貫通支持されている。そして支軸１７ａの貫通外端部に、回転体１７ｂの軸芯部がそれぞれ一体的に固定されている。さらに、本体ケース１６の内、外側片１６ａ、１６ｂには、仕切り体１７対向部位に位置して左右方向長尺状のストッパ片１７ｃ、１７ｄがそれぞれ一体的に設けられている。そして、仕切り体１７は、支軸１７ａを軸芯として回転体１７ｂとともに一体回転するように構成されており、内、外側片１６ａ、１６ｂの対向間に起立する開放姿勢となった状態では、下側開口２ａから内面板開口５ｂに至る通気路（通気機構）を通気状態（連通状態、開放状態）として、ドア体２の内外を通気するように構成されている。また、仕切り体１７が水平状態となって内外端縁部がそれぞれストッパ片１７ｃ、１７ｄに当接する閉鎖姿勢となった状態では、下側開口２ａから内面板開口５ｂに至る通気路（通気機構）の通気を遮断状態（閉鎖状態）として、ドア体２の内外の通気を遮断するように構成されている。そして、一方の回転体１７ｂの左右方向外側面には突起１７ｅが一体的に突出形成されている。
尚、ストッパ片１７ｃ、１７ｄの仕切り体１７が当接する面には、ゴム質弾性材からなる気密材１７ｆが設けられていて、前記遮断状態となったとき高い気密性を維持できるように構成されている。
【００１６】
一方、ドア体２の第一、第二施錠装置１０、１１のうち、下側に設けられている第二施錠装置１１には、下方に延出する第一作動ロッド１１ｄが上下方向移動自在に設けられている。そして、第一作動ロッド１１ｄは、サムターン１１ａ、または鍵孔１１ｂに挿し込まれたキーの回動操作により、施錠姿勢とすることに連動して下側の施錠位置に下動し、解錠姿勢とすることに連動して上側の解錠位置に上動するように構成されている。さらに、前記第一作動ロッド１１ｄの下端には磁石１１ｇが設けられ、該磁石１１ｇに第二作動ロッド１１ｅの上端に設けた磁性材１１ｈが離接自在に磁着され、第一作動ロッド１１ｄとともに一体に上下動するように構成されている。尚、１１ｆは第二作動ロッド１１ｅの上下動を移動案内するガイド体である。
【００１７】
また、本体ケース１６の右側の取付け片１６ｊには、室内方に向けて突出する固定プレート１６ｋが設けられており、該固定プレート１６ｋには上側の第一弾機受け片１８と下側の第二弾機受け片１９とがそれぞれ長孔１８ａ、１９ａを介して上下方向移動自在に設けられているが、第一弾機受け片１８の上端折曲片１８ｂには前記第二作動ロッド１１ｅの下端部が離接自在に当接されている。第一弾機受け片１８の下端折曲片１８ｃと、第二弾機受け片１９の上端折曲片１９ｂとのあいだには第一弾機２０が介装され、第二弾機受け片１９の下端折曲片１９ｃと、固定プレート１６ｋの下端折曲片１６ｌとのあいだに第二弾機２１が介装されているが、第一弾機２０の付勢力は第二弾機２１の付勢力よりも大きい設定になっている。さらに第二弾機受け片上端折曲片１９ｂと前記突起１７ｅとは連結片１９ｅを介して連結されている。
【００１８】
そしてサムターン１１ａ、または鍵孔１１ｂに挿し込まれたキーの前記回動操作により、前記施錠姿勢として第二作動ロッド１１ｅが下動した状態では、図９（Ａ）に示すように第一、第二弾機受け片１８、１９、付勢力の大きい第一弾機２０は圧縮されることなくそのまま下動し、これに伴い付勢力の小さい第二弾機２１が圧縮されると、第二弾機受け片上端折曲片１９ｂ、連結片１９ｅ、突起１７ｅが下動することになって仕切り体１７が第二弾機２１の付勢力を受けた状態で支軸１７ａを支点として回動して前記閉鎖姿勢となる。これに対し、解錠姿勢として第二作動ロッド１１ｅが上動した状態では、第二弾機２１が復元力を受けて伸長し、これに伴い、図９（Ｂ）に示すように第一、第二弾機受け片１８、１９、第一弾機２０が上動すると共に、さらに突起１７ｅが上動することになって仕切り体１７が前記開放姿勢となるように構成されている。
これらの通常状態のとき、付勢力の大きい第一弾機２０は伸縮することなく単に上下移動するだけである。
そして、仕切り体１７等が何らかの理由によりロックされて第二弾機受け片１９側が上下動しないロック状態になる異常が発生したとき、サムターン１１ａ、または鍵孔１１ｂに挿し込まれたキーの回動操作をした場合に第一弾機２０は伸縮作動をすることになって第一弾機受け片１８が上下移動して第二施錠装置１１の施錠、解錠操作ができるようになっている。
さらに第一弾機２０や第一弾機受け片１８側が上動しないロック状態となる等の異常が発生したとき、サムターン１１ａ、または鍵孔１１ｂに挿し込まれたキーの回動操作をした場合に第二作動ロッド１１ｅが第一弾機受け片上端折曲片１８ｂから離間することになって第二施錠装置１１の施錠、解錠操作ができるようになっている。
またさらには、第二作動ロッド１１ｅのガイド体１１ｆによるガイドに不具合等があって第二作動ロッド１１ｅがロックされて上動しなくなった場合、磁石１１ｇが第二作動ロッド１１ｅ側の磁性材１１ｈから離間することになり、これによって第二施錠装置１１の施錠、解錠操作ができるようになっている。
【００１９】
２２は本発明が実施されたフィルタであって、該フィルタ２２は、左右方向に長く平板状の長尺物で形成されているが、前記下枠材１２を補強するための補強材１３の上面に載置されるようになっている。つまりフィルタ２２は、下側開口２ａとベースフレーム開口１４ｉとのあいだに配されることで、負圧となった室内に外気が入り込む際の空気流路において仕切り体１７よりも室外側（流路上流側）に配されるようになっている。そしてフィルタ２２は、補強材１３の上端縁が、下枠材内面板１２ｃの左右両端部上端縁および下枠材外面板１２ｄの上端縁よりも低位になっていることで形成されるスペースＳに水平姿勢で収容されるようになっている。
そうしてフィルタ２２は、下枠材内面板１２ｃの左右両端部１２ｅよりも低くなった上端縁１２ｆとベースフレーム内片部１４ａの下端縁との隙間および内面板５に形成の切欠き５ｃが室内側の開口となって、該開口から前記スペースＳに抜き差し自在に組込むことができるようになっており、該組込まれたフィルタ２２は、内面板左右両端部１２ｅおよび上端縁１２ｆに設けた係止片１２ｇによって抜止め係止されるようになっている。内面板切欠き５ｅは着脱自在な塞ぎ板２３によって塞ぐ構成になっている。尚、２２ａはフィルタ２２を取出すときに指で把持する摘み、２４は火災の熱により溶断して空気流路を塞ぐ防火ダンパである。
尚、フィルタ２２は、本実施の形態では塞ぎ板２３とは別部材としているが、これに限定されることなく、塞ぎ板２３と一体化し、塞ぎ板２３をはずすことに連繋してスペースＳから抜き出すことができるように構成してもよい。
【００２０】
叙述の如く構成された本実施の形態において、ドア体２には、下側開口２ａから内面板開口５ｂに至るよう空気流路が形成され、そして第二施錠装置１１が施錠状態になっているときには、空気流路内に設けた仕切り体１７が閉鎖姿勢になっていて気密性を保持することができる一方、第二施錠装置１１を解錠操作することに伴い仕切り体１７が開放姿勢になって内外通気ができ、これによって負圧状態になっていた室内を正圧状態にすることができ、そして前記解錠操作をした後の把手９の押し引き操作でドア体２の室外側への開放操作をすることになるため、通気状態になってから時間差がある状態でのドア体２の開放操作を行うことになって負圧が解消された状態での軽快なドア体の開放ができることになる。
【００２１】
このように本発明が実施されたものはドア体２の軽快な開放作業ができるものであるが、この空気流路にフィルタ２２を設けて塵芥や虫等の侵入を防止することができるが、前記仕切り体１７よりも室外側にフィルタ２２が設けられているため、負圧となった室内に空気が流入する場合に、フィルタ２２で浄化された空気が仕切り体１７を通って室内に流入することになる結果、仕切り体１７等の可動物が外気に含まれる塵埃等に晒されて付着し動作が早期に鈍くなってしまうことを防止することができる。
【００２２】
この場合にフィルタ２２は、内外面板５、６に挟まれる空間に形成したトンネル状のスペースＳに配設されていて、内外から直接目視できない位置にあるため、汚れたフィルタ２２が露出して外観を損なうようなことがない。
そのうえフィルタ２２は、仕切り体１７に対し下側である下側開口２ａ側に位置して配される結果、フィルタ２２に付着した塵芥等は、下側開口２ａ側、つまり室外側に向けて落下することになって、室内側に入り込んで汚れてしまうことを回避することができる。
【００２３】
そのうえフィルタ２２は、左右に長尺板状のものが水平状に配されることになる結果、ドア体２のドア厚みを利用するかたちで広面積のフィルタ面を確保することができることになる。このためフィルタ２２を設けたものでありながら、該フィルタ２２が抵抗になって空気流入を阻害することを低減できて、負圧となった室内への速やかな空気流入ができることになる。
【００２４】
さらにフィルタ２２は、仕切り体１７が収容され、空気流路が形成されるベースフレーム１４の下側であって、ドア体下枠材１２の上端部に形成されるスペースＳに配される結果、前記水平姿勢で配されるフィルタ２２の組み込みスペースの確保が容易になる。
しかもフィルタ２２は、内面板５側に形成の前記開口からスペースＳに抜き差し自在に組み込むことができるため、防犯性を損なうことのない状態で、室内側からのメンテナンス作業が容易にできることになる。
そしてフィルタ２２を抜き差しするための内面板側の開口は、普段は塞ぎ板２３で塞がれるため外観を損なうことがない。
しかもこの場合、塞ぎ板２３を外した状態で開口を覗くことで、フィルタ２２の汚れ具合を、フィルタ２２を室内側に取り出さない状態で視認することができるため、フィルタ２２を取り出して確認する場合のように、付着している塵埃等が落下して室内を汚してしまうことを回避できる。
【産業上の利用可能性】
【００２５】
本発明は、高層建築物、特に、集合住宅等の外部への出入り口部に設けられる通気機構付きのドア装置に利用することができる。
【符号の説明】
【００２６】
１    ドア装置
２    ドア体
２ａ  下側開口
５    内面板
５ｂ  内面板開口
９    把手
１１    第二施錠装置
１２    下枠材
１２ｂ  下枠材開口
１７    仕切り体
２２    フィルタ
【図１】
2014062375.tif 000003
【図２】
2014062375.tif 000004
【図３】
2014062375.tif 000005
【図４】
2014062375.tif 000006
【図５】
2014062375.tif 000007
【図６】
2014062375.tif 000008
【図７】
2014062375.tif 000009
【図８】
2014062375.tif 000010
【図９】
2014062375.tif 000011